(57)【要約】      （修正有）【課題】スキャナーを内蔵させることにより、小型化と使用性を向上させたデジタルフォトフレームを提供する。【解決手段】スキャナを内蔵したデジタルフォトフレームは、画像を走査して映像情報を得るシートフィード型のスキャナと、前記スキャナと接続して、前記スキャナを起動させるとともに、前記スキャナからの前記映像情報を処理する処理装置と、前記処理装置と接続して、前記処理装置からの前記映像情報を保存する保存装置と、前記処理装置と接続して、前記処理装置からの前記映像情報を表示するディスプレイとにより構成する。【選択図】図１
0003157811.tif 000002
【実用新案登録請求の範囲】
【請求項１】
画像を走査して映像情報を得るスキャナと、
前記スキャナと接続して、前記スキャナを起動させるとともに、前記スキャナからの前記映像情報を処理する処理装置と、
前記処理装置と接続して、前記処理装置からの前記映像情報を保存する保存装置と、
前記処理装置と接続して、前記処理装置からの前記映像情報を表示するディスプレイと、を備えてなり、
前記スキャナはシートフィード型のスキャナであることを特徴とするスキャナを内蔵したデジタルフォトフレーム。
【請求項２】
信号を発生させるスイッチと、
開く・閉まると、前記スイッチが前記スキャナを起動・中止させるための前記信号を発生させるようにする前蓋と、
基底を有して、前記デジタルフォトフレームをサポートする額縁と、
をさらに備えて成ることを特徴とする請求項1に記載のスキャナを内蔵したデジタルフォトフレーム。
【請求項３】
前記処理装置と接続し、リモコンからの信号を受信して前記処理装置に伝送して、前記処理装置を制御することにより、前記スキャナを起動させるとともに前記スキャナからの前記映像情報を処理するようにするリモコンモジュールをさらに含むことを特徴とする請求項1に記載のスキャナを内蔵したデジタルフォトフレーム。
【請求項４】
前記処理装置と接続し、前記ディスプレイに表示される前記映像情報の角度を調整する回転検出器をさらに含むことを特徴とする請求項1に記載のスキャナを内蔵したデジタルフォトフレーム。
【請求項５】
前記ディスプレイは、液晶背光パネルを含み、
前記デジタルフォトフレームは、光検出器を含み、
前記光検出器は、前記処理装置と接続して、周囲の明暗度に基ついて前記液晶背光パネルの明度を調整することを特徴とする請求項1に記載のスキャナを内蔵したデジタルフォトフレーム。
【請求項６】
前記デジタルフォトフレームは、伝送インターフェースモジュールを含み、
前記伝送インターフェースモジュールは、前記処理装置と前記スキャナと接続されて、前記スキャナから前記処理装置へ前記映像情報を伝送し、更に、少なくとも一つポートとスイッチ集積回路を含み、
前記ポートは、前記処理装置と接続して、コンピューターやマルチメディア装置と接続し、
前記スイッチ集積回路は、前記スキャナと前記処理装置とスイッチポートと接続されて、前記スキャナと前記スイッチポートとを切り替えることを特徴とする請求項1に記載のスキャナを内蔵したデジタルフォトフレーム。
【考案の詳細な説明】
【技術分野】
【０００１】
本考案は、デジタルフォトフレームに関するものであり、特に、シートフィード型のスキャナを内蔵したデジタルフォトフレームに関するものである。
【背景技術】
【０００２】
現在、最も多くの写真は、デジタルカメラを使って撮影するものである。これらの写真を閲覧するため、デジタルカメラにある映像情報を常にパソコンに伝送しなければならない。それから、写真に関する映像情報に基づいて、写真を印刷し、あるいは映像情報がディスプレイに表示される。
【０００３】
デジタルメディアの発展に伴い、従来の重々しいアルバムをすでにデジタルフォトフレームに取り替える。従来のデジタルフォトフレームは、有線又は無線の伝送により、映像情報をデジタルフォトフレームに保存し、映像をデジタルフォトフレームに表示する。そうすると、写真を閲覧する時、パソコンを使わなければならない欠点を解決して、写真を便利に鑑賞することが可能になる。
【０００４】
一部の人が伝統のカメラを使って、そのカメラからの写真フィルムを利用して得られる写真を収集する。このため、スキャナは、写真を映像情報に変えるための必要な装置である。だが、スキャナを使うことは、パソコンが接続される必要があるため、その過程が複雑になり、時間もかなり消費する。従って、スキャナを内蔵したデジタルフォトフレームは、強い競争力を有する産品になる可能性がある。
【０００５】
従来のデジタルフォトフレームを配置するスキャナは、フラットベッド（flatbed）スキャナであり、原稿の用紙サイズは常に”3x5”又は"4x6"を読み取る。だが、写真のサイズはほかのサイズがあり、例えばもっと大きなサイズである広角度の写真など。又、デジタルフォトフレームは、ただ写真を閲覧するものではなく、他の画像や文書も閲覧する用途がある。故に、デジタルフォトフレームは、画像を走査するサイズにより、その使用性に影響される。又、フラットベッドスキャナを含むデジタルフォトフレームの体積は、普通のデジタルフォトフレームより大きくて、空間利用上の問題点が浮上している。
【考案の概要】
【考案が解決しようとする課題】
【０００６】
したがって、本考案はこのような従来の課題を解決するため、実験と研究を重ねた結果を通じて、ついに本考案のスキャナを内蔵したデジタルフォトフレームを提出した。本考案の主たる目的は、フラットベッドスキャナによる画像を走査するサイズの制限及びスキャナを内蔵したデジタルフォトフレームの体積の制限など問題を改善して、デジタルフォトフレームの使用性を向上させる。即ち、従来のデジタルフォトフレームの空間利用上の欠点を解決し、更に使用性を向上させる。
【課題を解決するための手段】
【０００７】
本考案は上記目的を達成するために以下のように定義される。
【０００８】
本考案に係るスキャナを内蔵したデジタルフォトフレームは、画像を走査して映像情報を得るスキャナと、前記スキャナと接続して、前記スキャナを起動させるとともに、前記スキャナからの前記映像情報を処理する処理装置と、前記処理装置と接続して、前記処理装置からの前記映像情報を保存する保存装置と、前記処理装置と接続して、前記処理装置からの前記映像情報を表示するディスプレイと、を備えてなり、前記スキャナはシートフィード型のスキャナであることを特徴とするスキャナを内蔵したデジタルフォトフレーム。
【０００９】
上記構成の本考案に係るスキャナを内蔵したデジタルフォトフレームは、信号を発生させるスイッチと、開く・閉まると、前記スイッチが前記スキャナを起動・中止させるための前記信号を発生させるようにする前蓋と、基底を有して、前記デジタルフォトフレームをサポートする額縁と、をさらに備えて成ることを特徴とするスキャナを内蔵したデジタルフォトフレーム。
【００１０】
上記構成の本考案に係るスキャナを内蔵したデジタルフォトフレームは、前記処理装置と接続し、リモコンからの信号を受信して前記処理装置に伝送して、前記処理装置を制御することにより、前記スキャナを起動させるとともに前記スキャナからの前記映像情報を処理するようにするリモコンモジュールをさらに含むことを特徴とするスキャナを内蔵したデジタルフォトフレーム。
【００１１】
上記構成の本考案に係るスキャナを内蔵したデジタルフォトフレームは、前記処理装置と接続し、前記ディスプレイに表示される前記映像情報の角度を調整する回転検出器をさらに含むことを特徴とするスキャナを内蔵したデジタルフォトフレーム。
【００１２】
上記構成の本考案に係るスキャナを内蔵したデジタルフォトフレームは、前記ディスプレイは、液晶背光パネルを含み、前記デジタルフォトフレームは、光検出器を含み、前記光検出器は、前記処理装置と接続して、周囲の明暗度に基ついて前記液晶背光パネルの明度を調整することを特徴とするスキャナを内蔵したデジタルフォトフレーム。
【００１３】
上記構成の本考案に係るスキャナを内蔵したデジタルフォトフレームは、前記デジタルフォトフレームは、伝送インターフェースモジュールを含み、前記伝送インターフェースモジュールは、前記処理装置と前記スキャナと接続されて、前記スキャナから前記処理装置へ前記映像情報を伝送し、更に、少なくとも一つポートとスイッチ回路を含み、前記ポートは、前記処理装置と接続して、コンピューターやマルチメディア装置と接続し、前記スイッチ回路は、前記スキャナと前記処理装置とスイッチポートと接続されて、前記スキャナと前記スイッチポートとを切り替えることを特徴とするスキャナを内蔵したデジタルフォトフレーム。
【考案の効果】
【００１４】
本考案は、フラットベッドスキャナによる画像を走査するサイズの制限及びスキャナを内蔵したデジタルフォトフレームの体積の制限など問題を改善して、デジタルフォトフレームの使用性を向上させる。
【図面の簡単な説明】
【００１５】
【図１】本考案の第一実施例によるデジタルフォトフレームの構成図である。
【図２（Ａ）】本考案の第一実施例によるデジタルフォトフレームの第一立体図である。
【図２（Ｂ）】本考案の第一実施例によるデジタルフォトフレームの第二立体図である。
【図２（Ｃ）】本考案の第一実施例によるデジタルフォトフレームの第三立体図である。
【図３】本考案の第二実施例によるデジタルフォトフレームの構成図である。
【図４】本考案の第二実施例によるデジタルフォトフレームの立体図である。
【考案を実施するための最良の形態】
【００１６】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１７】
図1を参照して下さい。図1は、本考案の第一実施例によるデジタルフォトフレームの構成図である。シートフィード型のスキャナ101は、伝送インターフェースモジュール102と接続する。その中、前記伝送インターフェースモジュール102は、スイッチ回路1021及びスイッチポート1022を含む。前記スイッチ回路1021は、前記スキャナ101と接続する。前記スイッチポート1022は、前記スイッチ回路1021、ポート1023及び記憶カードスロット1024と接続する。
【００１８】
処理装置103は、前記スイッチ回路1021、前記ポート1023、前記記憶カードスロット1024、ディスプレイ104、保存装置105、制御パネル106、リモコンモジュール107、拡声器108、回転検出器109、及び光検出器110などそれぞれと接続する。
【００１９】
図2（A）、2（B）、2（C）を参照して下さい。図2（A）、2（B）、2（C）は、本考案の第一実施例によるデジタルフォトフレームの立体図（斜視図）である。
【００２０】
本考案のデジタルフォトフレームは、シートフィード型のスキャナにあるフィードスロット2301を通して、画像（原稿）を走査した後、退出口2201から退去して、映像情報を得る。前記映像情報は、例えばJPG、TIF、BMP、GIF又は他の形式のファイルであり、保存装置によって保存される。デジタルフォトフレームにある前記保存装置は、例えばハードディスク、ダイナミック・ランダム・アクセス・メモリ（DRAM）、フラッシュメモリ（Flash Memory）又はほかの記憶素子であるから、パソコンに比べて画像を走査して前記映像情報を保存することが消費する時間を節約できる。前記シートフィード型のスキャナは、原稿をシートフィード方法で走査するため、画像の長さを制限しなく、デジタルフォトフレームの使用性を向上させる。
【００２１】
前記シートフィード型のスキャナ101は、前蓋2101とスイッチ（図示省略）を含むものである。前蓋2101は、ダストカバーの機能を提供し、ほこりなどが入ることを回避して、前記スキャナ101の故障を予防できる。前記スイッチは、例えば機械、磁気誘導、電気光学又はほかの方法により、前記前蓋2101を開閉することを検出できる。前記前蓋2101が開くと、前記スイッチが発生する信号により、前記スキャナ101と前記ディスプレイ104を起動させて、予熱時間（Warm-up time）を短縮して、使用者が同時に走査して閲覧できる。前記前蓋2101が閉じると、前記スキャナを停止させることで、電力を節約できる。又、前記スキャナを起動させてしばらく作動させないようにする時に、前記スキャナが待機モードに移行して、電力を節約できる。
【００２２】
本考案の第一実施例による伝送インターフェースモジュール102は、前記処理装置103と前記スキャナ101又はほかの装置を介して、情報を伝送するためのものである。前記伝送インターフェースモジュール102は、更に記憶カードと接続する記憶カードスロット1024を含み、前記記憶カードに保存される情報を伝送し、あるいは前記記憶カードからほかの情報を伝送する。前記記憶カードスロット1024は、SDカードスロット、CFカードスロット、MSカードスロット、又はマルチカードコネクタ等である。前記伝送インターフェースモジュール102は、ポート1023を含み、前記ポート1023は、コンピューターやマルチメディア装置と接続するためのものである。前記マルチメディア装置は、例えばデジタルカメラ、プリンター、スキャナ、ビデオカメラ、又はハードディスクである。前記伝送インターフェースモジュールは、さらにスイッチ回路1021とスイッチポート1022を含む。前記スイッチ回路1021は、前記スキャナ101と前記スイッチポート1022と自動的に切り替えるためのものである。前記スイッチポート1022と接続する装置を使うと、前記スイッチポート1022を自動的に切り替える。その美点は製造のコストを減らすことができる。又、前記伝送インターフェースモジュールは、ユニバーサル・シリアル・バス（USB 1.0, USB 1.1, USB 2.0, USB 3.0）、推奨規格232（RS-232）インターフェース、IEEE1394インターフェース、又はほかの伝送インターフェースである。
【００２３】
本考案の第一実施例によるデジタルフォトフレームは、更に基底2102と額縁2103を含む。基底2102と額縁2103が一体成形されていて、前記デジタルフォトフレームを支持することが好ましい。使用者が制御パネル106によってデジタルフォトフレームを制御でき、例えば写真を閲覧し、スキャナを使って、情報を保存し...など。前記リモコンモジュール107（図示省略）は、リモコンからの信号を受信することで、前記デジタルフォトフレームを制御できる。拡声器108は、音声情報を出力して、使用者に聞くように提供するためものであり。前記音声情報は、例えばMP3、WMV...など情報である。前記回転検出器109（図示省略）は、例えばロールボールスイッチにあるロールボールの移動により、前記デジタルフォトフレームを例えば横方向又は縦方向に配置することを検出して、前記ディスプレイに表示される前記映像情報の角度を調整するためのものである。又、ディスプレイ104は、更に液晶背光パネルを含むものであるから、暗黒の中で映像情報を表示できる。前記デジタルフォトフレームは、光検出器110を含むものであり、前記光検出器110は、周囲の明暗度に基づいて前記液晶背光パネルの明度を調整するため、使用者に視力の損害を与えなくて、映像を閲覧可能になる。
【００２４】
前記処理装置は、それぞれの前記素子に接続されて、使用者が制御パネル106と前記リモコンモジュール107を介して指示する信号、又は前記回転検出器109と前記光検出器110からの信号を受信して、ほかの前記素子を起動させる。例えば、画像を走査して映像情報を得って、ディスプレイ104に前記映像情報を出力し、あるいは保存装置105に前記映像情報を保存する。前記使用者の指示を受信して、拡声器108を起動させる。外部のマルチメディア装置を制御して前記映像情報を処理する。光検出器110からの信号を受信して、前記液晶背光パネルの明度を調整する。又、回転検出器109からの信号を受信して、前記ディスプレイに表示される前記映像情報の角度を調整する。
【００２５】
図3を参照して下さい。図3は、本考案の第二実施例によるデジタルフォトフレームの構成図である。処理装置303は、シートフィード型のスキャナ301、ディスプレイ304、保存装置305、制御パネル306、リモコンモジュール307、拡声器308、回転検出器309、及び光検出器310などそれぞれと接続する。
【００２６】
図4を参照して下さい。図4は、本考案の第二実施例によるデジタルフォトフレームの立体図（斜視図）である。
【００２７】
本考案の第二実施例によるデジタルフォトフレームは、シートフィード型のスキャナ301にあるフィードスロットを通して、画像（原稿）が走査された後、退出口から退去されて、映像情報を得る。前記映像情報は、例えばJPG、TIF、BMP、GIF又は他の形式のファイルであり、保存装置によって保存される。デジタルフォトフレームにある前記保存装置は、例えばハードディスク、ダイナミック・ランダム・アクセス・メモリ（DRAM）、フラッシュメモリ（Flash Memory）又はほかの記憶素子であるから、パソコンに比べて画像を走査して前記映像情報を保存することが消費する時間を節約できる。前記シートフィード型のスキャナ301は、原稿をシートフィード方法で走査するため、画像の長さを制限しなく、デジタルフォトフレームの使用性を向上させる。
【００２８】
前記シートフィード型のスキャナ301は、前蓋4101とスイッチ（図示省略）を含むものである。前蓋4101は、ダストカバーの機能を提供し、ほこりなどが入ることを回避して、前記スキャナ301の故障を予防できる。前記スイッチは、例えば機械、磁気誘導、電気光学又はほかの方法により、前記前蓋4101を開閉することを検出できる。前記前蓋2101が開くと、前記スイッチが発生する信号により、前記スキャナ301と前記ディスプレイ304を起動させて、予熱時間（Warm-up time）を短縮して、使用者が同時に走査して閲覧できる。前記前蓋4101が閉じると、前記スキャナを停止させることで、電力を節約できる。又、前記スキャナを起動させてしばらく作動させないようにする時に、前記スキャナが待機モードに移行して、電力を節約できる。
【００２９】
本考案のフィードスロットは、前記デジタルフォトフレームの正面（ディスプレイと同じ面）にあるから、使用者が同時に画像を走査して閲覧できる。又、先に走査される画像が前記退出口から退去されるため、画像のサイズが小さ過ぎて前記デジタルフォトフレームから退去しなくなること、あるいは前記デジタルフォトフレームの内に抜け出さなくなることを抑制する。更に、フィードスロットは、蓋を覆って、長い凹みのようなものである。前記シートフィード型のスキャナは、スリープ機能があり、前記スキャナを起動させてしばらく作動させないようにする時に、前記スキャナが待機モードに移行して、電力を節約できる。
【００３０】
本考案の第二実施例によるデジタルフォトフレームは、更に基底4102と額縁4103を含む。基底4102と額縁4103が一体成形されていて、前記デジタルフォトフレームを支持することが好ましい。使用者が制御パネル306によってデジタルフォトフレームを制御でき、例えば写真を閲覧し、スキャナを使って、情報を保存し...など。前記リモコンモジュール307（図示省略）は、リモコンからの信号を受信することで、前記デジタルフォトフレームを制御できる。拡声器308は、音声情報を出力して、使用者に聞くように提供するためものであり。前記音声情報は、例えばMP3、WMV...など情報である。前記回転検出器309（図示省略）は、例えばロールボールスイッチにあるロールボールの移動により、前記デジタルフォトフレームを例えば横方向又は縦方向に配置することを検出して、前記ディスプレイに表示される前記映像情報の角度を調整するためのものである。又、ディスプレイ304は、更に液晶背光パネルを含むものであるから、暗黒の中で映像情報を表示できる。前記デジタルフォトフレームは、光検出器110を含むものであり、前記光検出器310は、周囲の明暗度に基づいて前記液晶背光パネルの明度を調整するため、使用者に視力の損害を与えなくて、映像を閲覧可能になる。
【００３１】
前記処理装置は、それぞれの前記素子に接続されて、使用者が制御パネル306と前記リモコンモジュール307を介して指示する信号、又は前記回転検出器309と前記光検出器310からの信号を受信して、ほかの前記素子を起動させる。例えば、画像を走査して映像情報を得て、ディスプレイ304に前記映像情報を出力し、あるいは保存装置105に前記映像情報を保存する。前記使用者の指示を受信して、拡声器308を起動させる。外部のマルチメディア装置を制御して前記映像情報を処理する。光検出器310からの信号を受信して、前記液晶背光パネルの明度を調整する。又、回転検出器309からの信号を受信して、前記ディスプレイに表示される前記映像情報の角度を調整する。
【００３２】
本考案のデジタルフォトフレームは、シートフィード型のスキャナを内蔵したので、フラットベッドスキャナによる画像を走査するサイズの制限及びスキャナを含むデジタルフォトフレームの体積の制限など問題を改善して、デジタルフォトフレームの使用性を向上させる。
【００３３】
以上説明した内容を通して、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【符号の説明】
【００３４】
101シートフィード型のスキャナ
102伝送インターフェースモジュール
1021スイッチ回路
1022スイッチポート
1023ポート
1024記憶カードスロット
103処理装置
104ディスプレイ
105保存装置
106制御パネル
107リモコンモジュール
108拡声器
109回転検出器
110光検出器
2101前蓋
2102基底
2103額縁
2201退出口
2301フィードスロット
301シートフィード型のスキャナ
303処理装置
304ディスプレイ
305保存装置
306制御パネル
307リモコンモジュール
308拡声器
309回転検出器
310光検出器
4101前蓋
4102基底
4103額縁
【図１】
0003157811.tif 000003
【図２（Ａ）】
0003157811.tif 000004
【図２（Ｂ）】
0003157811.tif 000005
【図２（Ｃ）】
0003157811.tif 000006
【図３】
0003157811.tif 000007
【図４】
0003157811.tif 000008